(57)【要約】【課題】光エネルギー駆動機能を具する情報表示装置を提供する。【解決手段】この装置は、情報表示ユニット１２０と光エネルギー変換電気エネルギー・ユニット１１３と電気エネルギー制御ユニット１１５を含む。情報表示ユニットはメモリー・ユニット１２５，表示ユニット１２１，表示制御ユニット１２３及び情報トランスファー制御ユニット１２７を含み、情報トランスファー制御ユニットが、外部情報をメモリー・ユニットへ伝送して格納し、且つ表示制御ユニットへ伝送して処理する。表示制御ユニットは、表示ユニットとメモリー・ユニットとの間に電気的に接続され、メモリー・ユニット内における情報を表示ユニットに表示する。光エネルギー変換電気エネルギー・ユニットは、光エネルギーを電気エネルギーに変換し、且つ電気エネルギーを電気エネルギー制御ユニットへ伝送して処理し、ひいては駆動電源を情報表示ユニットへ提供して、情報を表示させる。【選択図】図１
0003126410.tif 000002
【実用新案登録請求の範囲】
【請求項１】
光エネルギー駆動機能を具する情報表示装置であって、
情報表示ユニットと、
光エネルギーを電気エネルギーに変換するように用いられる光エネルギー変換電気エネルギー・ユニットと、
前記光エネルギー変換電気エネルギー・ユニットと前記情報表示ユニットとに電気的に接続され電源の制御および管理を行う電気エネルギー制御ユニットと、を含み、
前記情報表示ユニットは、
情報を格納するように用いられるメモリー・ユニットと、
情報を表示する表示ユニットと、
前記表示ユニットと前記メモリー・ユニットとの間に電気的に接続され、情報を前記表示ユニットに表示する表示制御ユニットと、
前記メモリー・ユニットと前記表示制御ユニットとに電気的に接続され、情報を前記メモリー・ユニットへ伝送して格納し、且つ情報を前記表示制御ユニットへ伝送して処理するように用いられる情報トランスファー制御ユニットと、を含むことを特徴とする光エネルギー駆動機能を具する情報表示装置。
【請求項２】
電気エネルギー格納ユニットをさらに含み、当該電気エネルギー格納ユニットは前記光エネルギー変換電気エネルギー・ユニットと前記電気エネルギー制御ユニットとに電気的に接続され、電気エネルギーを格納することを特徴とする請求項1に記載の光エネルギー駆動機能を具する情報表示装置。
【請求項３】
前記電気エネルギー格納ユニットは、容量電池であることを特徴とする請求項２に記載の光エネルギー駆動機能を具する情報表示装置。
【請求項４】
前記電気エネルギー格納ユニットは、バッテリーであることを特徴とする請求項２に記載の光エネルギー駆動機能を具する情報表示装置。
【請求項５】
表示スイッチをさらに含み、当該表示スイッチがオンされた時に、前記表示ユニットが情報を表示することを特徴とする請求項１に記載の光エネルギー駆動機能を具する情報表示装置。
【請求項６】
前記光エネルギー変換電気エネルギー・ユニットが光を受けた時に、前記表示ユニットが情報を表示することを特徴とする請求項１に記載の光エネルギー駆動機能を具する情報表示装置。
【請求項７】
前記表示ユニットは、液晶ディスプレイであることを特徴とする請求項１に記載の光エネルギー駆動機能を具する情報表示装置。
【請求項８】
前記光エネルギー変換電気エネルギー・ユニットは、ソーラー電池であることを特徴とする請求項１に記載の光エネルギー駆動機能を具する情報表示装置。
【請求項９】
前記メモリー・ユニットは、揮発性メモリーであることを特徴とする請求項１に記載の光エネルギー駆動機能を具する情報表示装置。
【請求項１０】
前記メモリー・ユニットは、不揮発性メモリーであることを特徴とする請求項１に記載の光エネルギー駆動機能を具する情報表示装置。
【請求項１１】
光エネルギー駆動機能を具する情報表示装置であって、
情報表示ユニットと、
光エネルギーを電気エネルギーに変換するように用いられる光エネルギー変換電気エネルギー・ユニットと、
前記光エネルギー変換電気エネルギー・ユニットと前記情報表示ユニットとに電気的に接続され電源の制御および管理を行う電気エネルギー制御ユニットとを含み、
前記情報表示ユニットは、
情報を格納するように用いられるメモリー・ユニットと、
情報を表示する表示ユニットと、
実時間時計ユニットを有し且つ前記表示ユニットと前記メモリー・ユニットとの間に電気的に接続され、情報を前記表示ユニットに表示する表示制御ユニットと、
前記メモリー・ユニットと前記表示制御ユニットとに電気的に接続され、情報を前記メモリー・ユニットへ伝送して格納し、且つ情報を前記表示制御ユニットへ伝送して処理するように用いられる情報トランスファー制御ユニットと、を含むことを特徴とする光エネルギー駆動機能を具する情報表示装置。
【請求項１２】
前記実時間時計ユニットは、少なくとも現在の時刻を表示するように用いられることを特徴とする請求項１１に記載の光エネルギー駆動機能を具する情報表示装置。
【請求項１３】
電気エネルギー格納ユニットをさらに含み、当該電気エネルギー格納ユニットは前記光エネルギー変換電気エネルギー・ユニットと前記電気エネルギー制御ユニットとに電気的に接続され、電気エネルギーを格納することを特徴とする請求項１１に記載の光エネルギー駆動機能を具する情報表示装置。
【請求項１４】
前記電気エネルギー格納ユニットは、容量電池であることを特徴とする請求項１３に記載の光エネルギー駆動機能を具する情報表示装置。
【請求項１５】
前記電気エネルギー格納ユニットは、バッテリーであることを特徴とする請求項１３に記載の光エネルギー駆動機能を具する情報表示装置。
【請求項１６】
表示スイッチをさらに含み、当該表示スイッチがオンされた時に、前記表示ユニットが情報を表示することを特徴とする請求項１１に記載の光エネルギー駆動機能を具する情報表示装置。
【請求項１７】
前記光エネルギー変換電気エネルギー・ユニットが光を受けた時に、前記表示ユニットが情報を表示することを特徴とする請求項１１に記載の光エネルギー駆動機能を具する情報表示装置。
【請求項１８】
前記表示ユニットは、液晶ディスプレイであることを特徴とする請求項１１に記載の光エネルギー駆動機能を具する情報表示装置。
【請求項１９】
前記光エネルギー変換電気エネルギー・ユニットは、ソーラー電池であることを特徴とする請求項１１に記載の光エネルギー駆動機能を具する情報表示装置。
【請求項２０】
前記メモリー・ユニットは、揮発性メモリーであることを特徴とする請求項１１に記載の光エネルギー駆動機能を具する情報表示装置。
【請求項２１】
前記メモリー・ユニットは、不揮発性メモリーであることを特徴とする請求項１１に記載の光エネルギー駆動機能を具する情報表示装置。
【請求項２２】
光エネルギー駆動機能を具する情報表示装置であって、
情報表示ユニットと、
第２のメモリー・ユニットに電気的に接続され当該第２のメモリー・ユニットが格納する情報を第１のメモリー・ユニットへ伝送して格納し、且つその情報を表示制御ユニットへ伝送して処理する情報トランスファー制御ユニットと、
光エネルギーを電気エネルギーに変換するように用いられる光エネルギー変換電気エネルギー・ユニットと、
前記光エネルギー変換電気エネルギー・ユニットと前記情報表示ユニットとに電気的に接続され電源の制御および管理を行う電気エネルギー制御ユニットと、を含み、
前記情報表示ユニットは、
情報を格納するように用いられる前記第１のメモリー・ユニットと、
情報を表示する表示ユニットと、
実時間時計ユニットを有し且つ前記表示ユニットと前記第１のメモリー・ユニットとの間に電気的に接続され、前記第１のメモリー・ユニットの格納する情報を前記表示ユニットに表示する表示制御ユニットと、を含むことを特徴とする光エネルギー駆動機能を具する情報表示装置。
【請求項２３】
前記情報トランスファー制御ユニットは、ＵＳＢトランスファー・インターフェースにより、外部とデータ転送を行うことを特徴とする請求項２２に記載の光エネルギー駆動機能を具する情報表示装置。
【請求項２４】
前記実時間時計ユニットは、少なくとも現在の時刻を表示するように用いられることを特徴とする請求項２２に記載の光エネルギー駆動機能を具する情報表示装置。
【請求項２５】
電気エネルギー格納ユニットをさらに含み、当該電気エネルギー格納ユニットは前記光エネルギー変換電気エネルギー・ユニットと前記電気エネルギー制御ユニットとに電気的に接続され、電気エネルギーを格納することを特徴とする請求項２２に記載の光エネルギー駆動機能を具する情報表示装置。
【請求項２６】
前記電気エネルギー格納ユニットは、容量電池であることを特徴とする請求項２５に記載の光エネルギー駆動機能を具する情報表示装置。
【請求項２７】
前記電気エネルギー格納ユニットは、バッテリーであることを特徴とする請求項２５に記載の光エネルギー駆動機能を具する情報表示装置。
【請求項２８】
表示スイッチをさらに含み、当該表示スイッチがオンされた時に、前記表示ユニットが情報を表示することを特徴とする請求項２２に記載の光エネルギー駆動機能を具する情報表示装置。
【請求項２９】
前記光エネルギー変換電気エネルギー・ユニットが光を受けた時に、前記表示ユニットが情報を表示することを特徴とする請求項２２に記載の光エネルギー駆動機能を具する情報表示装置。
【請求項３０】
前記第１のメモリー・ユニットは、不揮発性メモリーであることを特徴とする請求項２２に記載の光エネルギー駆動機能を具する情報表示装置。
【請求項３１】
前記第１のメモリー・ユニットは、揮発性メモリーであることを特徴とする請求項２２に記載の光エネルギー駆動機能を具する情報表示装置。
【請求項３２】
前記第２のメモリー・ユニットは、一つまたは複数個の不揮発性メモリーであることを特徴とする請求項２２に記載の光エネルギー駆動機能を具する情報表示装置。
【請求項３３】
前記第２のメモリー・ユニットは、ハード・ディスク装置であることを特徴とする請求項２２に記載の光エネルギー駆動機能を具する情報表示装置。
【請求項３４】
前記表示ユニットは、液晶ディスプレイであることを特徴とする請求項２２に記載の光エネルギー駆動機能を具する情報表示装置。
【請求項３５】
前記光エネルギー変換電気エネルギー・ユニットは、ソーラー電池であることを特徴とする請求項２２に記載の光エネルギー駆動機能を具する情報表示装置。
【請求項３６】
光エネルギー駆動機能を具する情報表示装置であって、
情報を表示する表示ユニットと、
格納メモリー装置が格納する情報を前記表示ユニットに表示する制御ユニットと、
光エネルギーを電気エネルギーに変換するように用いられる光エネルギー変換電気エネルギー・ユニットと、
前記光エネルギー変換電気エネルギー・ユニットに電気的に接続され、前記表示ユニットと前記制御ユニットの駆動電源の制御を行う電気エネルギー制御ユニットと、を含み、
前記制御ユニットは、
情報を格納するように用いられる第１のメモリー・ユニットと、
実時間時計ユニットを有し且つ前記表示ユニットと前記第１のメモリー・ユニットとの間に電気的に接続され、情報を前記表示ユニットに表示する表示制御ユニットと、
第２のメモリー・ユニットに電気的に接続され前記第２のメモリー・ユニットが格納する情報を前記第１のメモリー・ユニットへ伝送して格納し、且つその情報を前記表示制御ユニットへ伝送して処理する情報トランスファー制御ユニットと、含むことを特徴とする光エネルギー駆動機能を具する情報表示装置。
【請求項３７】
前記制御ユニットは、ＵＳＢトランスファー・インターフェースにより、外部とデータ転送を行うことを特徴とする請求項３６に記載の光エネルギー駆動機能を具する情報表示装置。
【請求項３８】
前記実時間時計ユニットは、少なくとも現在の時刻を表示するように用いられることを特徴とする請求項３６に記載の光エネルギー駆動機能を具する情報表示装置。
【請求項３９】
電気エネルギー格納ユニットをさらに含み、当該電気エネルギー格納ユニットは前記光エネルギー変換電気エネルギー・ユニットと前記電気エネルギー制御ユニットとに電気的に接続され、電気エネルギーを格納することを特徴とする請求項３６に記載の光エネルギー駆動機能を具する情報表示装置。
【請求項４０】
前記電気エネルギー格納ユニットは、容量電池であることを特徴とする請求項３９に記載の光エネルギー駆動機能を具する情報表示装置。
【請求項４１】
前記電気エネルギー格納ユニットは、バッテリーであることを特徴とする請求項３９に記載の光エネルギー駆動機能を具する情報表示装置。
【請求項４２】
表示スイッチをさらに含み、当該表示スイッチがオンされた時に、前記表示ユニットが情報を表示することを特徴とする請求項３６に記載の光エネルギー駆動機能を具する情報表示装置。
【請求項４３】
前記光エネルギー変換電気エネルギー・ユニットが光を受けた時に、前記表示ユニットが情報を表示することを特徴とする請求項３６に記載の光エネルギー駆動機能を具する情報表示装置。
【請求項４４】
前記第１のメモリー・ユニットは、不揮発性メモリーであることを特徴とする請求項３６に記載の光エネルギー駆動機能を具する情報表示装置。
【請求項４５】
前記第１のメモリー・ユニットは、揮発性メモリーであることを特徴とする請求項３６に記載の光エネルギー駆動機能を具する情報表示装置。
【請求項４６】
前記第２のメモリー・ユニットは、一つまたは複数個の不揮発性メモリーであることを特徴とする請求項３６に記載の光エネルギー駆動機能を具する情報表示装置。
【請求項４７】
前記第２のメモリー・ユニットは、ハード・ディスク装置であることを特徴とする請求項３６に記載の光エネルギー駆動機能を具する情報表示装置。
【請求項４８】
前記表示ユニットは、液晶ディスプレイであることを特徴とする請求項３６に記載の光エネルギー駆動機能を具する情報表示装置。
【請求項４９】
前記光エネルギー変換電気エネルギー・ユニットは、ソーラー電池であることを特徴とする請求項３６に記載の光エネルギー駆動機能を具する情報表示装置。
【考案の詳細な説明】
【技術分野】
【０００１】
本考案は、情報表示装置に関し、特に光エネルギーによって駆動されることが出来る情報表示装置に関する。
【背景技術】
【０００２】
従来の情報表示装置は、通常一つの内蔵電源により、表示装置へ駆動電源を供給する。さらに電力消費量の低い装置においては、ソーラーにより送電する方式を採用して表示するものもある。例えばソーラー・タイプのコンピューター（例えば、ソーラタイプの電卓）は、コンピューター上のソーラー電池にて、光エネルギーを電気エネルギーに変換し、表示装置へ供給することにより、情報を表示している。すなわち、コンピューター内部のマイクロプロセッサー・ユニットを経由して押しボタンの信号を処理し、さらに手順を計算し、文字及び計算された結果を表示装置に表示している。
【０００３】
然しながら、前記のソーラー・タイプのコンピューターの表示装置は、単に使用者の操作状態を表示するように用いられているだけである。つまり、従来のソーラー・タイプのコンピューターの表示装置は、単にコンピューターの動作信号を、マイクロプロセッサー・ユニットを経由した後に直接表示装置上に表示しているだけであり、表示装置に表示される情報は、メモリー・ユニットを経由せず、ユーザーの操作情報を即時表示しているに過ぎない。このように、従来のソーラー・タイプのコンピューターの表示装置は、ソーラーを利用して表示装置を駆動しある装置の状態情報、例えばメモリーに格納されている情報を表示することはできなかった。トランスファー制御インターフェースやメモリー素子を備えることによって、それらの情報を表示できるようになる。
【考案の開示】
【考案が解決しようとする課題】
【０００４】
上記問題点に鑑み、本考案の目的は、光エネルギー駆動機能を具する情報表示装置を提供することにあり、より詳細には、光エネルギーを電気エネルギーに変換する装置を利用して電気エネルギーを情報表示装置に提供し、単なるユーザーの操作状態の表示のみではなく、様々な情報を表示することのできる光エネルギー駆動機能を具する情報表示装置を提供することにある。
【課題を解決するための手段】
【０００５】
本考案の光エネルギー駆動機能を具する情報表示装置は、情報表示ユニットと、光エネルギー変換電気エネルギー・ユニットと、電気エネルギー制御ユニットとを含み、前記情報表示ユニットは、メモリー・ユニットと、表示ユニットと、表示制御ユニットと、情報トランスファー制御ユニットとを含む。前記情報トランスファー制御ユニットは、外部の情報をメモリー・ユニットへ伝送して格納し、且つ表示制御ユニットへ伝送して処理する。前記表示制御ユニットは、前記表示ユニットと前記メモリー・ユニットとの間に電気的に接続され、メモリー・ユニットの内の情報を表示ユニットに表示するように用いられる。光エネルギー変換電気エネルギー・ユニットは、光エネルギーを電気エネルギーに変換し、且つ電気エネルギーを電気エネルギー制御ユニットへ伝送して処理し、これにより駆動電源が情報表示ユニットへ提供され、情報が表示される。
【０００６】
本考案の特徴および技術内容をより理解するために、以下に添付の図面を参照しながら本考案に関する詳細な説明を行うが、添付の図面は参考と説明用に供するだけであり、本考案を限定するものではない。
【考案を実施するための最良の形態】
【０００７】
図１を参照すると、図１は本考案の光エネルギー駆動機能を具する情報表示装置の第１の好ましい実施形態を示すブロック図であり、光エネルギー変換電気エネルギー・ユニット１１３が、光源からの光１１１を吸収し且つ電気エネルギーに変換する。光エネルギー変換電気エネルギー・ユニット１１３は、ソーラー電池であってもよい。光エネルギー変換電気エネルギー・ユニット１１３は、電気エネルギーを電気エネルギー制御ユニット１１５へ伝送し、電気エネルギー制御ユニット１１５は、電気エネルギーを管理して制御する。光源は電球または蛍光灯などの人工光でもよく、太陽光の自然光に限定されない。何れの場合も光エネルギー変換電気エネルギー・ユニット１１３が光源からの光を吸収して電気エネルギーに変換し、電気エネルギー制御ユニット１１５へ供給し、電気エネルギー制御ユニット１１５が電源を管理する。
【０００８】
電気エネルギー制御ユニット１１５は、情報表示ユニット１２０に電気的に接続されることにより、駆動電源を情報表示ユニット１２０の内における各ユニットへ提供する。電気エネルギー制御ユニット１１５は、電圧を昇降して電源を分配することにより、電源の使用効率の最適化を図っている。情報トランスファー制御ユニット１２７は、外部情報を受けると、メモリー・ユニット１２５に格納し、且つ受けた外部情報を表示制御ユニット１２３へ直接伝送して処理する。そして表示制御ユニット１２３は情報トランスファー制御ユニット１２７から受けた情報を表示ユニット１２１へ伝送して表示する。なお、外部情報とは、例えば外部接続されたメモリー素子に格納された情報などである。表示ユニット１２１は液晶ディスプレイである。
【０００９】
メモリー・ユニット１２５は、不揮発性メモリーまたは揮発性メモリーであってもよく、外部情報を格納するように用いられ、表示制御ユニット１２３がここから情報を読取り、その情報を表示ユニット１２１に表示する。なお、光エネルギー変換電気エネルギー・ユニット１１３が光１１１を受けた時に、駆動電源が提供されて、表示制御ユニット１２３が外部情報を表示ユニット１２１に表示してもよい。その他に一つの表示スイッチ１２２を設け、表示スイッチ１２２がオンされた時に、表示制御ユニット１２３が起動され、表示制御ユニット１２３がメモリー・ユニット１２５から外部情報を読み取り、表示ユニット１２１に表示してもよい。
【００１０】
図２を参照すると、図２は本考案の光エネルギー駆動機能を具する情報表示装置の第２の好ましい実施形態を示すブロック図であり、光エネルギー変換電気エネルギー・ユニット２１３が、光源からの光２１１を吸収し且つ電気エネルギーに変換する。光エネルギー変換電気エネルギー・ユニット２１３は、一つのソーラー電池であってもよい。光エネルギー変換電気エネルギー・ユニット１１３は、電気エネルギーを電気エネルギー制御ユニット２１５へ直接伝送して処理する以外に、さらに電気エネルギーを電気エネルギー格納ユニット２１４に格納することもできる。電気エネルギー格納ユニット２１４は容量電池またはバッテリーであってもよく、充電可能なタイプの電気エネルギー格納素子である。また情報トランスファー制御ユニット２２７は、外部情報を読み取るように用いられ、外部情報をメモリー・ユニット２２５に書き込んで格納し、且つ読み取った外部情報を表示制御ユニット２２３へ伝送し、表示制御ユニット２２３を介して、外部情報を表示ユニット２２１に表示する。なお、外部情報とは、例えば外部接続されたメモリー素子に格納された情報などである。また、表示制御ユニット２２３は、表示スイッチ２２２により制御でき、表示スイッチ２２２がオンされた時に、メモリー・ユニット２２５から情報を読み取り、表示ユニット２２１に表示する。さらに表示制御ユニット２２３は、実時間時計ユニット２２４(Real-Time Clock)が設けられ、実時間時計ユニット２２４は、少なくとも現在の時刻を表示する。言い換えると、実時間時計ユニット２２４は一つの内蔵のタイミング・ユニットである。
【００１１】
この第２の実施例は、光源がある時には、光源のエネルギーを直接利用し電気エネルギーに変換することにより動作することができるが、光源がない時には、電気エネルギー格納ユニット２１４を利用して駆動電源を供給できる。すなわち、図２Ａを参照すると、図２Ａは本考案の光エネルギー駆動機能を具する情報表示装置の第２の実施形態において、光源がある状況下での動作を模式的に示すブロック図であるが、光２１１がある時、光エネルギー変換電気エネルギー・ユニット２１３は、光２１１を受けて電気エネルギーに変換し、そして電気エネルギーを電気エネルギー制御ユニット２１５へ伝送することにより、情報表示ユニット２２０の要する駆動電源を提供し、表示制御ユニット２２３がメモリー・ユニット２２５に格納された外部情報を読取り、読み取った情報を表示ユニット２２１に表示する。表示ユニット２２１は液晶ディスプレイであり、電気エネルギー制御ユニット２１５は、電圧を昇降して電源を分配することにより、電源の使用効率の最適化を図ることができる。また、光エネルギー変換電気エネルギー・ユニット２１３の出力した電気エネルギーを電気エネルギー格納ユニット２１４に格納することにより、光２１１がない時にでも、情報表示ユニット２２０の要する駆動電源を提供することができる。
【００１２】
さらに、図２Ｂを参照すると、図２Ｂは本考案の光エネルギー駆動機能を具する情報表示装置の第２の実施形態において光源がない状況下での動作を模式的に示すブロック図であるが、光源がなく、光２１１が光エネルギー変換電気エネルギー・ユニット２１３へ供給されず電気エネルギーに変換されない時は、情報表示ユニット２２０の要する駆動電源は、電気エネルギー格納ユニット２１４により提供され、電気エネルギー格納ユニット２１４は格納された電気エネルギーを電気エネルギー制御ユニット２１５へ伝送し、電気エネルギー制御ユニット２１５が、電気エネルギーを情報表示ユニット２２０へ分配する。メモリー・ユニット２２５は、不揮発性メモリーまたは揮発性メモリーであってもよく、またメモリー・ユニット２２５が揮発性メモリーであれば、電気エネルギー格納ユニット２１４が格納する電気エネルギーにより、メモリー・ユニット２２５及び表示制御ユニット２２３の状態を維持する。メモリー・ユニット２２５が不揮発性メモリーまたは揮発性メモリーであることに関わらず、電力を節約するために、表示ユニット２２１の表示を消すことができ、表示が必要となれば、一つの表示スイッチ２２２により表示制御ユニット２２３を起動し、表示制御ユニット２２３がメモリー・ユニット２２５に格納された外部情報を読取り、その後に情報を表示ユニット２２１に表示する。
【００１３】
図３を参照すると、図３は本考案の光エネルギー駆動機能を具する情報表示装置の第３の好ましい実施形態のブロック図であり、情報トランスファー制御ユニット３２７が、一つのＵＳＢトランスファー・インターフェース３２９を具し、さらに第２のメモリー・ユニット３２８に電気的に接続されている。第２のメモリー・ユニット３２８は一つまたは複数個の不揮発性メモリー或いはハード・ディスク装置であってもよい。情報トランスファー制御ユニット３２７は、第２のメモリー・ユニット３２８に格納された情報を第１のメモリー・ユニット３２５に書き込み、且つ第２のメモリー・ユニット３２８に格納された情報を表示制御ユニット３２３へ伝送することにより、格納された情報を表示ユニット３２１に表示する。表示ユニット３２１は液晶ディスプレイであり、そして第１のメモリー・ユニット３２５は一つの不揮発性メモリーであり、第２のメモリー・ユニット３２８が格納した情報を格納するように用いられ、表示制御ユニット３２３の読取りに供される。また表示制御ユニット３２３には、実時間時計ユニット３２４が設けられており、実時間時計ユニット３２４は少なくとも現在の時刻を表示するように用いられる。言い換えると、実時間時計ユニット３２４が一つの内蔵のタイミング・ユニットである。さらに情報トランスファー制御ユニット３２７は、第２のメモリー・ユニット３２８と外部装置（例えばホスト・コンピューター）との間におけるデータ・トランスファー（データ転送）の制御を処理し、そして、ＵＳＢトランスファー・インターフェース３２９により外部装置と連結を行うことができる。なお、表示制御ユニット３２３と第１のメモリー・ユニット３２５と情報トランスファー制御ユニット３２７とを一緒に整合することもでき、それらは第２のメモリー・ユニット３２８に格納された情報を表示ユニット３２１上に表示するように用いられ、且つ第２のメモリー・ユニット３２８と外部装置との間におけるデータ・トランスファー（データ転送）の制御を処理する。
【００１４】
情報トランスファー制御ユニット３２７がＵＳＢトランスファー・インターフェース３２９を介して一つのホスト・コンピューターに接続されれば、この場合、情報トランスファー制御ユニット３２７及び情報表示ユニット３２０の要する駆動電源は、当該ホスト・コンピューターのＵＳＢの電源（USB  VCC）から直接提供される。他方、如何なる外部のホスト・コンピューターに接続されない時は、光エネルギー変換電気エネルギー・ユニット３１３が光源からの光３１１を受け、光エネルギーを電気エネルギーに変換し、電気エネルギーを電気エネルギー制御ユニット３１５へ伝送する。光エネルギー変換電気エネルギー・ユニット３１３は、一つのソーラー電池であってもよい。そして電気エネルギー制御ユニット３１５は、情報表示ユニット３２０の要する駆動電源に対応して電圧を昇降して電源を情報表示ユニット３２０へ分配することにより、電源の使用効率の最適化を図っている。
【００１５】
省電力の目的のために、一つの表示スイッチ３２２により表示制御ユニット３２３を起動してもよく、表示スイッチ３２２がオンされると、表示制御ユニット３２３は、第１のメモリー・ユニット３２５に格納された第２のメモリー・ユニット３２８の情報を、第１のメモリー・ユニット３２５から読み取り、表示ユニット３２１上に表示する。この他にも、光エネルギー変換電気エネルギー・ユニット３１３が光源からの光３１１を受けた時に、光エネルギー変換電気エネルギー・ユニット３１３が、光エネルギーを電気エネルギーに変換し、且つ電気エネルギー制御ユニット３１５へ伝送し、そして電気エネルギー制御ユニット３１５が、電気エネルギーを情報表示ユニット３２０へ伝送し、表示制御ユニット３２３が第１のメモリー・ユニット３２５に格納された第２のメモリー・ユニット３２８の情報を読み取り、表示ユニット３２１に直接表示するようにしてもよい。この場合、スイッチにより情報表示の機能を制御する必要がない。
【００１６】
以上の叙述は、ただ本考案のより好ましい具体的な実施形態における詳細な説明および図面であり、本考案の特徴がこれに限定されず、本考案を限定するように用いられるものではなく、本考案の全ての範囲は、添付の実用新案登録請求の範囲に準拠すべきで、本考案の実用新案登録請求の範囲に合致する精神及びその類似する変化の実施例が何れも本考案の範疇中に含まれるべきで、当該技術をよく分かる者であれば、本考案の領域内では、発想の簡単可能な変化または潤色がいずれも添付の本考案の登録請求の範囲の内に含まれることが出来ることがわかるであろう。
【図面の簡単な説明】
【００１７】
【図１】本考案の光エネルギー駆動機能を具する情報表示装置の第１の好ましい実施形態のブロック図である。
【図２】本考案の光エネルギー駆動機能を具する情報表示装置の第２の好ましい実施形態のブロック図である。
【図２Ａ】本考案の光エネルギー駆動機能を具する情報表示装置の第２の好ましい実施形態において光源がある状況下での動作を模式的に示すブロック図である。
【図２Ｂ】本考案の光エネルギー駆動機能を具する情報表示装置の第２の好ましい実施形態において光源がない状況下での動作を模式的に示すブロック図である。
【図３】本考案の光エネルギー駆動機能を具する情報表示装置の第３の好ましい実施形態のブロック図である。
【符号の説明】
【００１８】
１１１  光
１１３  光エネルギー変換電気エネルギー・ユニット
１１５  電気エネルギー制御ユニット
１２０  情報表示ユニット
１２１  表示ユニット
１２２  表示スイッチ
１２３  表示制御ユニット
１２５  メモリー・ユニット
１２７  情報トランスファー制御ユニット
２１１  光
２１３  光エネルギー変換電気エネルギー・ユニット
２１４  電気エネルギー格納ユニット
２１５  電気エネルギー制御ユニット
２２０  情報表示ユニット
２２１  表示ユニット
２２２  表示スイッチ
２２３  表示制御ユニット
２２４  実時間時計ユニット
２２５  メモリー・ユニット
２２７  情報トランスファー制御ユニット
３１１  光
３１３  光エネルギー変換電気エネルギー・ユニット
３１５  電気エネルギー制御ユニット
３２０  情報表示ユニット
３２１  表示ユニット
３２２  表示スイッチ
３２３  表示制御ユニット
３２４  実時間時計ユニット
３２５  第１のメモリー・ユニット
３２７  情報トランスファー制御ユニット
３２８  第２のメモリー・ユニット
３２９  ＵＳＢトランスファー・インターフェース
【図１】
0003126410.tif 000003
【図２】
0003126410.tif 000004
【図２Ａ】
0003126410.tif 000005
【図２Ｂ】
0003126410.tif 000006
【図３】
0003126410.tif 000007